(57)【特許請求の範囲】
【請求項１】
送信機から送信される特定の施解錠情報を受信し、この受信した施解錠情報に基づいて防火扉の施解錠制御を行う出入管理システムに採用される出入管理用受信機であって、
前記特定の施解錠情報を受信するために、前記防火扉の所定箇所に開口形成された貫通穴を介して前記防火扉の内外に室外側受信機と室内側受信機とが配設され、
前記室外側受信機と前記室内側受信機とは、少なくとも受信機間を電気的に接続するケーブルを挿通させるための挿通口が形成された金属製の裏板をそれぞれ備えており、
当該裏板同士は、室外側の挿通口と室内側の挿通口とが互い違いにずれた状態で前記防火扉の内外から取付金具を介して固定され、該取付金具には前記裏板間で前記ケーブルを導出するための挿通口を有することを特徴とする出入管理用受信機。
【請求項２】
少なくとも回路基板を含む本体側部品が個々に設けられる室外側ベース板及び室内側ベース板が、各々自身の裏板に対して熱可塑性の合成樹脂螺子によって固定されていることを特徴とする請求項１記載の出入管理用受信機。
【請求項３】
前記回路基板に接続される接続ケーブルは、当該回路基板に対して直接半田付けして面実装されることを特徴とする請求項２記載の出入管理用受信機。
【発明の詳細な説明】
【技術分野】
【０００１】
本発明は、例えば建物に備え付けられた防火扉に具備され、送信機から送信される特定の施解錠情報に基づいて防火扉の施解錠制御を行う出入管理システムに採用される出入管理用受信機に係り、火災が発生した際の延焼や煙の排出を防止する出入管理用受信機に関するものである。
【背景技術】
【０００２】
従来より、例えばマンションなどの集合住宅やオフィスビルなどの多層建築物には、地震などの自然災害や人為的により発生した火災の延焼や排煙を防止するため、各階の階段や廊下の所定箇所に防火扉が設置されている。この種の防火扉は、建築基準法に基づく耐火標準過熱テストに耐えうる構造にするため、表面部はステンレス鋼鈑で形成され、密閉度の高い構造にするとともに、煙返し等を複雑に入りこませることにより、火炎や煙が他の区域に侵入するのを防止している。そして、このような防火扉の一例としては、例えば特許文献１に開示されているようなものが公知である。
【特許文献１】特開２００２−２７２８６６号公報
【発明の開示】
【発明が解決しようとする課題】
【０００３】
ところで、近年この種の防火扉に、不審者の侵入を防止する防犯機能を追加するため、扉に施解錠情報を受信する出入管理用受信機を設置し、特定の送信機から予め設定されたパスワードやＩＤなどの施解錠情報を受信し、この受信した施解錠情報に基づいて防火扉の施解錠制御を行う出入管理システムが知られている。このような出入管理システムでは、防火扉の所定箇所に貫通穴を形成し、この貫通穴を介して室内側受信機と室外側受信機とが対面するようにそれぞれ対向配置し、互いを嵌合させて配設している。また、この出入管理用受信機は、送信機から送信された施解錠情報を確実に受信する、受信機自体の軽量化や低コスト化を図るなどの理由から、装置本体の材質として鉄などの金属ではなく、例えばＡＢＳやポリカーボネートなどの加工しやすく軽量な熱可塑性の合成樹脂製の部品を多く採用している。
【０００４】
しかしながら、このような防犯扉において、例えば建物の内部で火災が発生した場合に、炎や炎の熱によって内部側の受信機の合成樹脂部分から発火してしまい、その結果、発火した炎が貫通穴を介して外側の受信機へと延焼して、外部にまで炎や煙が拡散してしまうという問題があった。このため、本来の防火扉の防火性能を十分に満足させることができなかった。
【０００５】
そこで、本発明は上述の如き問題点に鑑みてなされたものであり、火災発生時に、設置場所周辺が一定温度に達した際に受信機の可燃部分である合成樹脂部品を発火する前に脱落させて受信機部分からの発火を事前に防止するとともに、延焼や煙の排出を防止することのできる出入管理用受信機を提供することを目的とするものである。
【課題を解決するための手段】
【０００６】
上記した目的を達成するために、請求項１に記載された出入管理用受信機は、送信機から送信される特定の施解錠情報を受信し、この受信した施解錠情報に基づいて防火扉の施解錠制御を行う出入管理システムに採用される出入管理用受信機であって、
前記特定の施解錠情報を受信するために、前記防火扉の所定箇所に開口形成された貫通穴を介して前記防火扉の内外に室外側受信機と室内側受信機とが配設され、
前記室外側受信機と前記室内側受信機とは、少なくとも受信機間を電気的に接続するケーブルを挿通させるための挿通口が形成された金属製の裏板をそれぞれ備えており、
当該裏板同士は、室外側の挿通口と室内側の挿通口とが互い違いにずれた状態で前記防火扉の内外から取付金具を介して固定され、該取付金具には前記裏板間で前記ケーブルを導出するための挿通口を有することを特徴とする。
【０００７】
請求項２に記載された出入管理用受信機は、請求項１の出入管理用受信機において、
少なくとも回路基板を含む本体側部品が個々に設けられる室外側ベース板及び室内側ベース板が、各々自身の裏板に対して熱可塑性の合成樹脂螺子によって固定されていることを特徴とする。
【０００８】
請求項３に記載された出入管理用受信機は、請求項２の出入管理用受信機において、
前記回路基板に接続される接続ケーブルは、当該回路基板に対して直接半田付けして面実装されることを特徴とする。
【発明の効果】
【０００９】
本発明の出入管理用受信機によれば、室外や室内で火災が発生した場合であっても、室外側受信機や室内側受信機の金属製の部分のみが溶解せずに防火扉に配設したままの状態で残り、それ以外の部分が炎の熱により溶解して発火前に脱落するため、受信機の可燃部分からの発火を未然に防ぐことができる。しかも、室外側裏板と室内側裏板に形成された挿通口が互い違いに位置しており、裏板同士を固定する取付金具には裏板間でケーブルを導出するための挿通口が形成されているので、室内側、室外側どちらかにおいて火災が発生した場合であっても、挿通口から炎や煙が流出しにくいという効果を奏する。
【００１０】
また、少なくとも回路基板を含む本体側部品が個々に取り付けられる室外側ベース板及び室内側ベース板が、各々自身の裏板に対して熱可塑性の合成樹脂螺子によって固定されているので、火災発生時に、早い段階で合成樹脂螺子が溶融し、裏板に対するベース板の固定が断たれ、ベース板が自重で脱落し、ベース板の発火を未然に防止できる。
【００１１】
さらに、受信機内蔵の回路基板に接続される接続ケーブルは、回路基板に対して直接半田付けにより面実装されるので、火災発生時の熱によって半田が溶融したときに、回路基板が自重によって脱落し、回路基板への発火を未然に防ぐことができる。
【発明を実施するための最良の形態】
【００１２】
以下、本発明の最良の形態について、添付した図面を参照しながらそれぞれ説明する。図１は本発明に係る出入管理用受信機の概略構成を示す分解斜視図、図２は本発明に係る出入管理用受信機の部品構成の詳細を示す分解斜視図、図３（ａ）は本発明に係る出入管理用受信機をＡ−Ａ線で切断した際の断面図、図３（ｂ）は本発明に係る出入管理用受信機をＢ−Ｂ線で切断した際の断面図、図４（ａ），（ｂ）は基板とコネクタとの接続方法を示す部分拡大図である。
【００１３】
出入管理用受信機は、建物内への不審者の不正侵入を防止するための出入管理システムに用いられ、送信機から送信される特定のパスワードやＩＤなどの施解錠情報を受信するための受信機である。そして、本例では、建物内に設置した防火扉における室外、室内の両側にそれぞれ室外側受信機と室内側受信機とを対向して配設し、火災発生時の炎の熱を利用して受信機の可燃部分のみを脱落させ、受信機からの発火を未然に防止することができる出入管理用受信機を提供している。
【００１４】
まず、本例の出入管理用受信機について図１〜図４を参照しながら説明する。図１に示すように、出入管理用受信機１は、室外用の室外側受信機１１と室内用の室内側受信機２１とで大略構成され、建物内に設置した防火扉１００の所定箇所に形成された受信機設置用の貫通穴（取付穴）１００ａに対し、取付金具３１を介して室外側受信機１１と室内側受信機２１とがそれぞれ対面して対向配設される。また、室外側受信機１１と室内側受信機２１との間は、各種信号の送受信を行うための接続ケーブル４１を介して受信機同士が電気的に接続される。さらに、室外側受信機１１は、制御盤用ケーブル４２と電気錠用ケーブル４３を具備し、これらケーブル４２，４３が不図示の電気錠制御盤と電気錠とにそれぞれコネクタ接続される。
【００１５】
次に、出入管理用受信機１（１１、２１）の各構成について図２及び図３を参照しながら詳細に説明する。
【００１６】
まず、室外側受信機１１について説明する。図２や図３（ａ）に示すように、室外側受信機１１は、底部をなす室外側裏板１２と、室外側制御基板１３と、室外側アンテナホルダー１４と、室外側パッキン１５と、室外側ベース板１６と、室外側カバー１７とで概略構成される。尚、室外側ベース板１６側には、本体側部品として、室外側制御基板１３、室外側アンテナホルダー１４、室外側パッキン１５、室外側カバー１７が所定位置に設けられる。
【００１７】
室外側裏板１２は、例えばＳＰＣＣなどの金属板を用いて矩形の箱型形状に形成されている。室外側裏板１２の開口部分の周囲には所定幅の鍔が形成されている。鍔の四隅部分には、後述する室外側パッキン１５と室外側ベース板１６とを固定するための合成樹脂螺子５１が螺合される取付穴１２ａが形成されている。また、室外側裏板１２の上下２箇所には、防火扉１００の板厚に応じた長さの取付柱（スペーサ部材）７１を挿入保持するための取付穴１２ｂが形成されている。さらに、図２に示すように、室外側裏板１２において、底部の中心から所定距離上方にずらした位置には、接続ケーブル４１を挿通させるための挿通口１２ｃが形成されている。この挿通口１２ｃは、後述する取付金具３１に対して室外側裏板１２と室内側裏板２２とを固定した際に、室内側裏板２２の挿通口２２ｃと開口部分が一致しないように互い違いに形成される。
【００１８】
回路基板としての室外側制御基板１３は、所定の配線が施されたプリント基板で構成され、例えばＣＰＵやＲＯＭ、ＲＡＭなどのマイクロコンピュータなどの電子部品を実装している。また、室外側制御基板１３は、防火扉１００の扉面に対して略平行になるように配置され、各部と接続する各種ケーブルのコネクタとプリント配線との接続部分が、図４（ｂ）のようなスルーホールにＩＣピンを差し込むＤＩＰタイプではなく、図４（ａ）に示すようなプリント配線とコネクタとが直接半田付けされた面実装タイプとなっている。これにより、火災時に発生した炎の熱で接続部分の半田が溶けるため、コネクタが室外側制御基板１３に引っかかることなく脱落するようになる。また、室外側制御基板１３は、後述する室外側アンテナホルダー１４が装着できるように、図中鉛直方向における基板１３の上下部分にそれぞれ係合凹部１３ｄが形成されている。
【００１９】
室外側アンテナホルダー１４は、例えばＡＢＳなどの熱可塑性樹脂で形成され、外部から操作される送信機８１からの施解錠信号を受信するため、例えば銅線などのアンテナ材９１が巻回部１４ｅに沿って捲着されている。また、室外側アンテナホルダー１４には、室外側制御基板１３に装着するため、図２中鉛直方向における上下部分に室外側制御基板１３の係合凹部１３ｄと係合するための鉤形形状を有する係合爪１４ｆが設けられている。さらに、室外側アンテナホルダー１４には、室外側制御基板１３の両側端部を複数箇所（図２の例では左右２箇所ずつ）で係止するための係止爪１４ｋが設けられている。また、室外側アンテナホルダー１４は、室外側制御基板１３に実装されている電子部品との接触を防止するため、電子部品の実装状態に応じて所定箇所が肉抜きされた形状となっている。そして、火災が発生した場合に、巻回部１４ｅに捲着されたアンテナ材９１が炎の熱によって加熱されることで、室外側制御基板１３に徐々に熱を伝え、この室外側制御基板１３と接続ケーブル４１との間の半田を通常よりも早く溶解させる役目を担っている。
【００２０】
室外側パッキン１５は、例えばシリコンゴムなどの柔軟性と防水性に富んだ材質からなり、後述する室外側ベース板１６と嵌合するように形成され、室外側制御基板１３に実装された電子部品や室外側アンテナホルダー１４を雨や外部からの衝撃などから保護している。また、室外側パッキン１５の四隅部分には、室外側裏板１２と後述する室外側ベース板１６とを合成樹脂螺子５１で固定するための取付穴１５ａが形成されている。
【００２１】
室外側ベース板１６は、例えばＡＡＳなどの耐候性・耐衝撃性を有する合成樹脂で形成され、室外側制御基板１３、室外側アンテナホルダー１４、室外側パッキン１５などの各部品を衝撃などから保護している。また、室外側ベース板１６の四隅部分には、室外側裏板１２、室外側パッキン１５と同様に合成樹脂螺子５１が螺合される取付穴１６ａが形成されている。
【００２２】
室外側カバー１７は、例えばポリカーボネートなどの耐衝撃性・耐熱性に優れた合成樹脂で形成され、合成樹脂螺子５１で係止された室外側裏板１２、室外側パッキン１５、室外側ベース板１６を冠着して保護している。
【００２３】
次に、室内側受信機２１について説明する。室内側受信機２１は、図３（ａ）に示すように、室内側裏板２２と、室内側制御基板２３と、室内側アンテナホルダー２４と、室内側パッキン２５と、室内側ベース板２６と、室内側カバー２７とで概略構成される。尚、室内側ベース板２６側には、本体側部品として、室内側制御基板２３、室内側アンテナホルダー２４、室内側パッキン２５、室内側カバー２７が所定位置に設けられる。
【００２４】
室内側裏板２２は、例えばＳＰＣＣなどの金属板を用いて矩形の箱型形状に形成されている。室内側裏板２２の開口部分の周囲には所定幅の鍔が形成されている。鍔の四隅部分には、後述する室内側パッキン２５と室内側ベース板２６とを固定するための合成樹脂螺子５１が螺合される取付穴２２ａが形成されている。また、図１や図３（ａ）に示すように、室内側裏板２２には、後述する取付金具３１に金属螺子６１で固定するための取付穴２２ｇが下方中央位置に形成されているとともに、取付金具３１に形成された凸状の引掛爪３１ｈと係合するための係合穴２２ｉが上方左右２箇所の位置に形成されている。さらに、図１に示すように、室内側裏板２２の底部の中心から所定距離下方にずらした位置には、接続ケーブル４１を挿通させるための挿通口２２ｃが形成されている。
【００２５】
なお、この室内側裏板２２の挿通口２２ｃは、取付金具３１に対して室外側裏板１２及び室内側裏板２２を固定した際に、室外側裏板１２の挿通口１２ｃに対して相対的にずれて互い違いになる位置、すなわち開口部分が一致しない位置に形成されていれば良い。従って、室外側裏板１２の挿通口１２ｃと室内側裏板２２の挿通口２２ｃとは、図示のように、特に上下方向に入れ違って形成されたものに限定されず、互いの開口部分が一致しないように例えば斜め方向にずれた位置や左右方向にずれた位置に形成しても良い。
【００２６】
回路基板としての室内側制御基板２３は、所定の配線が施されたプリント基板で構成され、例えばＣＰＵやＲＯＭ、ＲＡＭなどのマイクロコンピュータなどの電子部品を実装している。また、室内側制御基板２３は、防火扉１００の扉面に対して略平行になるように配置され、各部と接続する各種ケーブルのコネクタとプリント配線との接続部分が、室外側制御基板１３と同様に、図４（ｂ）のようなスルーホールにＩＣピンを差し込むＤＩＰタイプではなく、図４（ａ）に示すように、プリント配線とコネクタとが直接半田付けされた面実装タイプとなっている。これにより、火災時に発生した炎の熱で接続部分の半田が溶けるため、コネクタが室内側制御基板２３に引っかかることなく脱落するようになる。また、室内側制御基板２３は、後述する室内側アンテナホルダー２４が装着できるように、図中鉛直方向における基板２３の上下部分にそれぞれ係合凹部２３ｄが形成されている。
【００２７】
室内側アンテナホルダー２４は、例えばＡＢＳなどの熱可塑性樹脂で形成され、外部から操作される送信機８１からの施解錠信号を受信するため、例えば銅線などのアンテナ材９１が室外側アンテナホルダー１４と同様の巻回部に沿って捲着されている。また、室内側アンテナホルダー２４には、室内側制御基板２３に装着するため、図３（ａ）中鉛直方向における上下部分に室内側制御基板２３の係合凹部２３ｄと係合するための鉤形形状を有する係合爪２４ｆが設けられている。また、室外側アンテナホルダー１４と同様に、室内側制御基板２３の両側端部を複数箇所で係止するための係止爪２４ｋが設けられている。さらに、室内側アンテナホルダー２４は、室内側制御基板２３に実装されている電子部品との接触を防止するため、電子部品の実装状態に応じて所定箇所が肉抜きされた形状になっている。そして、火災が発生した場合に、巻回部２４に捲着されたアンテナ材９１が炎の熱によって加熱されることで、室内側制御基板２３に徐々に熱を伝え、この室内側制御基板２３と接続ケーブル４１との間の半田を通常よりも早く溶解させる役目を担っている。
【００２８】
室内側パッキン２５は、例えばシリコンゴムなどの柔軟性と防水性に富んだ材質からなり、後述する室内側ベース板２６と嵌合するように形成され、室内側制御基板２３に実装された電子部品や室内側アンテナホルダー２４に対する外部からの衝撃などから保護している。また、室内側パッキン２５の四隅部分には、室内側裏板２２と後述する室内側ベース板２６とを合成樹脂螺子５１で固定するための不図示の取付穴が形成されている。
【００２９】
室内側ベース板２６は、例えばＡＡＳなどの耐候性・耐衝撃性を有する合成樹脂で形成され、室内側制御基板２３、室内側アンテナホルダー２４、室内側パッキン２５などの各部品を衝撃などから保護している。また、室内側ベース板２６の四隅部分には、室内側裏板２２、室内側パッキン２５と同様に合成樹脂螺子５１で固定するための不図示の取付穴が形成されている。
【００３０】
室内側カバー２７は、例えばポリカーボネートなどの耐衝撃性・耐熱性に優れた合成樹脂で形成され、合成樹脂螺子５１で係止された室内側裏板２２、室内側パッキン２５、室内側ベース板２６を冠着して保護している。
【００３１】
次に、取付金具３１について説明する。取付金具３１は、例えばＳＰＣＣなどの金属板で形成され、上述した室外側受信機１１を取付柱７１を介して固定するための取付穴３１ｇが所定箇所（図１では上下２箇所）に形成されている。この取付金具３１には、室外側受信機１１と室内側受信機２１の各々の接続ケーブル４１同士を接続端子を介して接続するための挿通口３１ｃが室内側裏板２２の挿通口２２ｃの位置に合せて形成されている。また、取付金具３１には、室内側裏板２２に形成された係合穴２２ｉと係合するための引掛爪３１ｈが上端部の左右２箇所に形成されているとともに、室内側裏板２２と金属螺子６１で固定するための取付穴３１ｊが下端部中央に形成されている。
【００３２】
尚、本例では、取付金具３１と取付柱７１とを別体構成として説明しているたが、取付柱７１と取付金具３１とを一体に構成しても良い。
【００３３】
また、本例において、取付金具３１には、取り付けの手間を考慮して、室内側裏板２２の挿通口２２ｃの位置に合わせて挿通口２２ｃとほぼ同等の挿通口３１ｃが形成されているが、取付金具３１と室内側裏板２２との間に接続ケーブル４１を導出するための空間を確保でき、裏板１２，２２の挿通口１２ｃ，２２ｃ間で接続ケーブル４１を導出できれば、取付金具３１に形成される挿通口３１ｃの形状や位置は限定されるものではない。
【００３４】
そして、上記のように構成される出入管用受信機１を防火扉１００に配設する場合には、まず、室外側受信機１１を作製するため、室外側制御基板１３に室外側アンテナホルダー１４を係合する。次に、室外側ベース板１６に室外側パッキン１５を嵌合し、室外側制御基板１３と室外側アンテナホルダー１４を係合したものを室外側ベース板１６の所定位置に重ね合わせる。その後、室外側裏板１２の取付穴１２ａから合成樹脂螺子５１を螺入して室外側裏板１２、室外側パッキン１５、室外側ベース板１６を係止して固定する。そして、室外側ベース板１６側から室外側カバー１７を冠着して室外側受信機１１を完成させる。
【００３５】
次に、室外側裏板１２の挿通口１２ｃから接続ケーブル４１を挿通した後、室外側裏板１２の取付穴１２ｂに取付柱７１を挿入し、この取付柱７１から金属螺子６１によって室外側裏板１２を取付金具３１と係止して防火扉１００に配設する。このとき、室外側制御基板１３に接続された制御盤用ケーブル４２と電気錠用ケーブル４３を不図示の電気錠制御盤と電気錠にそれぞれ接続する。
【００３６】
次に、室内側受信機２１を作製するため、まず室内側制御基板２３に室内側アンテナホルダー２４を係合する。次に、室内側ベース板２６に室内側パッキン２５を嵌合し、室内側制御基板２３と室内側アンテナホルダー２４を係合したものを室内側ベース板２６の所定位置に重ね合わせる。その後、室内側裏板２２の取付穴２２ａから合成樹脂螺子５１を螺入して室内側裏板２２、室内側パッキン２５、室内側ベース板２６を係止して固定する。そして、室内側ベース板２６側から室内側カバー２７を冠着して室内側受信機２１を完成させる。このとき、室内側裏板２２の挿通口２２ｃから接続ケーブル４１を挿通しておく。
【００３７】
そして、室外側受信機１１と室内側受信機２１からそれぞれ延出した接続ケーブル４１同士を接続する。ケーブル接続した後、室内側裏板２２に形成された係合穴２２ｉに取付金具３１の引掛爪３１ｈを引掛け、室内側裏板２２の取付穴２２ｇを介して金属螺子６１で取付金具３１に係止して固定することにより、出入管理用受信機１（１１、２１）の配設が終了する。
【００３８】
このように、上述した出入管理用受信機１（１１、２１）では、特定の施解錠情報を受信するために、防火扉１００の所定箇所に開口形成された貫通穴１００ａを介して防火扉１００の内外に室外側受信機１１と室内側受信機１２とが配設され、室外側受信機１１と室内側受信機２１とは、少なくとも受信機間を電気的に接続するケーブルを挿通させるための挿通口１２ｃ，２２ｃが形成された金属製の裏板１２，２２をそれぞれ備えており、裏板１２，２２同士は、室外側の挿通口１２ｃと室内側の挿通口２２ｃとが互い違いにずれた状態で防火扉１００の内外から室内側の挿通口２２ｃの位置に合わせて同等の挿通口３１ｃが形成された取付金具３１を介して固定される。これにより、室外若しくは室内で火災が発生した場合であっても、室外側受信機１１若しくは室内側受信機２１の金属製の部分のみが溶解せずに防火扉１００に配設したままの状態で残り、それ以外の部分が炎の熱により溶解して発火前に脱落する。その結果、受信機の可燃部分からの発火を未然に防止することができる。
【００３９】
しかも、室外側裏板１２と室内側裏板２２に形成された挿通口１２ｃ，２２ｃとが互い違い（図示の例では上下に互い違い）に形成されており、裏板１２，２２同士を固定する取付金具３１には裏板１２，２２の挿通口１２ｃ，２２ｃ間でケーブルを導出するための挿通口３１ｃが形成されているので、裏板１２，２２間において直線的な貫通穴が形成されず、室内側、室外側どちらかにおいて火災が発生した場合でも炎や煙が流出しにくくなり、他の区画へ炎や煙が拡散するのを防止することができる。
【００４０】
また、火災により発火しやすい少なくとも制御基板１３，２３を含む本体側部品（アンテナホルダー１４，２４、パッキン１５，２５、カバー１７，２７）が個々に取り付けられる室外側ベース板１６及び室内側ベース板２６が、各々自身の裏板１２，２２に対して熱可塑性の合成樹脂螺子５１によって固定されているので、火災発生時に、早い段階で合成樹脂螺子５１が溶融し、裏板１２，２２に対するベース板１６，２６の固定が断たれ、ベース板１６，２６が自重で脱落し、ベース板１６，２６の発火を未然に防止できる。
【００４１】
さらに、室外側受信機１１及び室内側受信機２１にそれぞれ内蔵された制御基板１３，２３に接続される接続ケーブル４１は、制御基板１３，２３に対して直接半田付けにより面実装されるので、火災発生時の熱によって半田が溶融したときに、制御基板１３，２３が自重によって脱落し、制御基板１３，２３への発火を未然に防ぐことができる。
【００４２】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００４３】
【図１】本発明に係る出入管理用受信機の概略構成を示す分解斜視図である。
【図２】本発明に係る出入管理用受信機の部品構成の詳細を示す分解斜視図である。
【図３】（ａ）  本発明に係る出入管理用受信機をＡ−Ａ線で切断した際の断面図である。  （ｂ）  本発明に係る出入管理用受信機をＢ−Ｂ線で切断した際の断面図である。
【図４】（ａ），（ｂ）  基板とコネクタとの接続方法を示す部分拡大図である。
【符号の説明】
【００４４】
１  出入管理用受信機                                                        
１１  室外側受信機
１２  室外側裏板
１３  室外側制御基板
１４  室外側アンテナホルダー
１５  室外側パッキン
１６  室外側ベース板
１７  室外側カバー
２１  室内側受信機
２２  室内側裏板
２３  室内側制御基板
２４  室内側アンテナホルダー
２５  室内側パッキン
２６  室内側ベース板
２７  室内側カバー
３１  取付金具
５１  合成樹脂螺子
６１  金属螺子
【図１】
0004648123.tif 000002
【図２】
0004648123.tif 000003
【図３】
0004648123.tif 000004
【図４】
0004648123.tif 000005